(57)【要約】      （修正有）【課題】横たわるだけで、運動の前後で身体をウォーミングアップ又はクールダウンさせることが容易に可能なウォーミングアップ運動用ベッドを提供する。【解決手段】横臥し、選手の上半身又は下半身を支えるベッド本体と、ベッド本体に乗っていない下半身又は上半身を横臥させる横臥部とを備え、ベッド本体の選手が横臥する面に、身体に当接するローラ５４を身体に沿って往復運動させるローラ機構５０を有する。ローラ機構は、複数のローラを回動自在に有するローラユニットと、ローラユニットを保持する上部ローラプレート５６と、上部ローラプレートを揺動可能に支持する下部ローラプレート６０と、下部ローラプレートを往復運動させる駆動手段８０と、下部ローラプレートが載置され、駆動手段により往復運動可能に設けられるベースプレート９０とを有する。【選択図】図２
0003200593.tif 000002
【実用新案登録請求の範囲】
【請求項１】
運動の前後で身体をウォーミングアップ又はクールダウンさせるためのウォーミングアップ運動用ベッドにおいて、
ウォーミングアップを行う選手が横臥し、該選手の上半身又は下半身を支えるベッド本体と、
該選手の該ベッド本体に乗っていない下半身又は上半身を横臥させる横臥部とを備え、
該ベッド本体の該選手が横臥する面に、該選手の身体に当接するローラを該身体に沿って往復運動させるローラ機構を有することを特徴とするウォーミングアップ運動用ベッド。
【請求項２】
前記ローラ機構が、
複数の前記ローラを回動自在に有するローラユニットと、
該ローラユニットを保持する上部ローラプレートと、
該上部ローラプレートを揺動可能に支持する下部ローラプレートと、
該下部ローラプレートを前記往復運動させる駆動手段と、
該下部ローラプレートが載置され、該駆動手段により該往復運動可能に設けられるベースプレートとを有することを特徴とする請求項１記載のウォーミングアップ運動用ベッド。
【請求項３】
前記ローラ機構の前記上部ローラプレートが、前記横臥部側の一端辺が前記下部ローラプレートに軸支され、
該上部ローラプレートが、側面視で扇状に摺動自在であることを特徴とする請求項２記載のウォーミングアップ運動用ベッド。
【請求項４】
前記ローラ機構の前記上部ローラプレートが、下面に突出する揺動アームを有し、
該揺動アームが、前記駆動手段により上下動されるように連結され、
該駆動手段によって、前記下部ローラプレートが前記往復運動する位置によって、該上部ローラプレートの揺動する高さすなわち前記ローラの高さが変わることを特徴とする請求項３記載のウォーミングアップ運動用ベッド。
【請求項５】
前記ローラ機構の前記上部ローラプレートが、下面に突出する揺動アームを有し、
該揺動アームの下端が、前記ベースプレートに当接しつつ前記往復運動するように設けられ、
該揺動アームの下端が当接する該ベースプレートの軌道の一部に、該ベースプレートの高さを部分的に高くする凸状レール部材を有し、
該凸状レール部材の高さに応じて、該上部ローラプレートの揺動する高さすなわち前記ローラの高さが変わることを特徴とする請求項３記載のウォーミングアップ運動用ベッド。
【請求項６】
前記ベッド本体に、スピーカを有することを特徴とする請求項１〜請求項５のいずれかに記載のウォーミングアップ運動用ベッド。
【請求項７】
前記ローラ機構が、前記ローラを暖める加熱手段を有することを特徴とする請求項１〜請求項６のいずれかに記載のウォーミングアップ運動用ベッド。
【請求項８】
前記ベッド本体が、揺動するための揺動手段を有することを特徴とする請求項１〜請求項７のいずれかに記載のウォーミングアップ運動用ベッド。
【請求項９】
前記横臥部が、前記ベッド本体に摺動可能に連結されていることを特徴とする請求項１〜請求項８のいずれかに記載のウォーミングアップ運動用ベッド。
【考案の詳細な説明】
【技術分野】
【０００１】
本考案は、運動の前後で身体をウォーミングアップ又はクールダウンさせるためのウォーミングアップ運動用ベッドに関する。
【背景技術】
【０００２】
従来より、運動の前後で身体をウォーミングアップ又はクールダウンさせるためのウォーミングアップが行われている。この運動前後のウォーミングアップが手軽にできるウォーミングアップ運動用装置として、例えば、特許文献１の足温冷浴テーブルが提案されている。
【０００３】
この特許文献１の足温冷浴テーブルは、テーブルの足下にある温冷浴槽へ足を入れることにより、手軽に足浴ができるもので、テーブルにある操作パネルにより、温度、強弱、バブル、水流等の調整ができるもので、足浴によりウォーミングアップ又はクールダウンさせるためのウォーミングアップを行うためのものである。
【先行技術文献】
【特許文献】
【０００４】
【特許文献１】特開２００３−１９１８３号公報
【考案の概要】
【考案が解決しようとする課題】
【０００５】
しかしながら、従来のウォーミングアップ運動用装置である足温冷浴テーブルは、上半身のウォーミングアップは困難であり、また容易に移動・運搬させることができない。
【０００６】
本考案は、このような事情に鑑みてなされたもので、横たわるだけで、運動の前後で身体をウォーミングアップ又はクールダウンさせるためのウォーミングアップが容易に可能なウォーミングアップ運動用ベッドを提供することにある。
【課題を解決するための手段】
【０００７】
請求項１記載のウォーミングアップ運動用ベッドは、ウォーミングアップを行う選手が横臥し、選手の上半身又は下半身を支えるベッド本体と、選手のベッド本体に乗っていない下半身又は上半身を横臥させる横臥部とを備え、ベッド本体の選手が横臥する面に、選手の身体に当接するローラを身体に沿って往復運動させるローラ機構を有することを特徴とする。
【０００８】
請求項２記載のウォーミングアップ運動用ベッドは、ローラ機構が、複数のローラを回動自在に有するローラユニットと、ローラユニットを保持する上部ローラプレートと、上部ローラプレートを揺動可能に支持する下部ローラプレートと、下部ローラプレートを往復運動させる駆動手段と、下部ローラプレートが載置され、駆動手段により往復運動可能に設けられるベースプレートとを有することを特徴とする。
【０００９】
請求項３記載のウォーミングアップ運動用ベッドは、ローラ機構の上部ローラプレートが、横臥部側の一端辺が下部ローラプレートに軸支され、上部ローラプレートが、側面視で扇状に摺動自在であることを特徴とする。
【００１０】
請求項４記載のウォーミングアップ運動用ベッドは、ローラ機構の上部ローラプレートが、下面に突出する揺動アームを有し、揺動アームが、駆動手段により上下動されるように連結され、駆動手段によって、下部ローラプレートが往復運動する位置によって、上部ローラプレートの揺動する高さすなわちローラの高さが変わることを特徴とする。
【００１１】
請求項５記載のウォーミングアップ運動用ベッドは、ローラ機構の上部ローラプレートが、下面に突出する揺動アームを有し、揺動アームの下端が、ベースプレートに当接しつつ往復運動するように設けられ、揺動アームの下端が当接するベースプレートの軌道の一部に、ベースプレートの高さを部分的に高くする凸状レール部材を有し、凸状レール部材の高さに応じて、上部ローラプレートの揺動する高さすなわちローラの高さが変わることを特徴とする。
【００１２】
請求項６記載のウォーミングアップ運動用ベッドは、ベッド本体に、スピーカを有することを特徴とする。
【００１３】
請求項７記載のウォーミングアップ運動用ベッドは、ローラ機構が、ローラを暖める加熱手段を有することを特徴とする。
【００１４】
請求項８記載のウォーミングアップ運動用ベッドは、ベッド本体が、揺動するための揺動手段を有することを特徴とする。
【００１５】
請求項９記載のウォーミングアップ運動用ベッドは、横臥部が、ベッド本体に摺動可能に連結されていることを特徴とする。
【考案の効果】
【００１６】
本考案によれば、横たわるだけで、運動の前後で身体をウォーミングアップ又はクールダウンさせるためのウォーミングアップが容易に可能である。
【図面の簡単な説明】
【００１７】
【図１】本考案に係るウォーミングアップ運動用ベッドの構成の一例を示す説明図である。
【図２】同ウォーミングアップ運動用ベッドのローラ機構の一例を示す説明図である。
【図３】同ウォーミングアップ運動用ベッドのローラ機構の詳細を示す説明図である。
【図４】同ウォーミングアップ運動用ベッドのローラ機構の他の例を示す説明図である。
【図５】同ウォーミングアップ運動用ベッドのローラ機構の他の例の動作を説明する説明図である。
【図６】同ウォーミングアップ運動用ベッドの使用方法の一例を示す説明図である。
【図７】同ウォーミングアップ運動用ベッドの使用方法の他の一例を示す説明図である。
【考案を実施するための形態】
【００１８】
以下、本考案の形態について図面を参照しながら具体的に説明する。図１は、本考案に係るウォーミングアップ運動用ベッドの構成の一例を示す説明図である。図２は、同ウォーミングアップ運動用ベッドのローラ機構の一例を示す説明図である。図３は、同ウォーミングアップ運動用ベッドのローラ機構の詳細を示す説明図である。図４は、同ウォーミングアップ運動用ベッドのローラ機構の他の例を示す説明図である。図５は、同ウォーミングアップ運動用ベッドのローラ機構の他の例の動作を説明する説明図である。図６は、同ウォーミングアップ運動用ベッドの使用方法の一例を示す説明図である。図７は、同ウォーミングアップ運動用ベッドの使用方法の他の一例を示す説明図である。
【００１９】
本実施の形態に係るウォーミングアップ運動用ベッド１は、運動の前後で身体をウォーミングアップ又はクールダウンさせるためのものである。ウォーミングアップ運動用ベッド１は、ウォーミングアップを行う選手が横臥し、選手の上半身又は下半身を支えるベッド本体４０と、選手のベッド本体４０に乗っていない下半身又は上半身を横臥させる横臥部２０とを備え、ベッド本体４０の選手が横臥する面に、選手の身体に当接するローラ５４を身体に沿って往復運動させるローラ機構５０を有する。すなわち、ウォーミングアップ運動用ベッド１は、図１に示すように、ベッド本体４０と横臥部２０とが長手方向に連結されており、選手が全身を横臥させることが可能になっており、選手は、ベッド本体４０に上半身又は下半身を載せることで、上半身又は下半身のいずれかのウォーミングアップ又はクールダウンを行うことになる。
【００２０】
ウォーミングアップ運動用ベッド１は、ベッド本体４０の左右に設けられた側面視略長方形状で円環状のパイプ形状からなるサイドフレーム１０及び２つのサイドフレーム１０を繋ぐ連結フレーム１６を基本構造とし、このサイドフレーム１０及び連結フレーム１６に横臥部２０が連結されている構造である。そして、２つのサイドフレーム１０の間に、ベッド本体４０が設けられている。尚、サイドフレーム１０は、図２に示すように、上部フレーム１２にカバー１８を被せるようにしてもよい。
【００２１】
ベッド本体４０は、図１に示すように、厚板状の略直方体で主にクッション性のある素材で形成され、内部のローラ機構５０を備えている（図２では、サイドフレーム１０とベッド本体４０の内部のローラ機構５０との位置関係を示している）。
【００２２】
横臥部２０は、上面視略Ｕ字状で側面視略Ｊ字状に湾曲させたパイプの上面に板材を設けた横臥部本体２２からなり、略Ｊ字状の下端部が、脚部２０ａとして下に着く形態となっている。そして、横臥部２０の脚部２０ａとは反対側が、横板状の中間部２４を介してベッド本体４０の短辺に沿って隣接するサイドフレーム１０に連結されている。
【００２３】
ローラ機構５０は、ベッド本体４０の選手が横臥する面に、選手の身体に当接するローラ５４を身体に沿って往復運動させるもので、図２及び図３に示す構造を有している。具体的には、ローラ機構５０は、複数のローラ５４を回動自在に有するローラユニット５２と、ローラユニット５２を保持する上部ローラプレート５６と、上部ローラプレート５６を揺動可能に支持する下部ローラプレート６０と、下部ローラプレート６０を往復運動させる駆動手段８０と、下部ローラプレート６０が載置され、駆動手段８０により往復運動可能に設けられるベースプレート９０等から構成されている。
【００２４】
ローラユニット５２は、選手の身体に沿って回転しつつ往復運動をする複数のローラ５４がローラ基台５２ａに回転自在に軸支され、図２及び図３のローラ機構５０の例では、板状の上部ローラプレート５６の上面に取り付けられている。上部ローラプレート５６は、略長方形状の板材で、長手方向の両端下部に下部ローラプレート６０に軸支可能に連結される揺動軸部５６ａが突出している。また、上部ローラプレート５６の下面には、下方向に向かって、揺動アーム５８が突出している。また、上部ローラプレート５６のローラユニット５２が設けられた同じ面には、ローラ５４を暖めるための加熱手段であるヒータ７６が設けられている。
【００２５】
下部ローラプレート６０は、略長方形の板材である下部ローラプレートベース６２の短い方の両辺が下方に垂れ下がる構造で、一方の長い方の辺を横臥部２０側に向かうように設けられる構造である。この下部ローラプレートベース６２の両脇の垂れ下がった部分の外側には、後述するサイドレール９６を摺動するための車輪状のレール摺動部材６８が設けられている。そして、下部ローラプレート６０の横臥部２０側の両脇には、上部ローラプレート５６を軸支する揺動軸受部６４が設けられ、また、下部ローラプレートベース６２の底面の中央には、横臥部２０側に向かって略正方形に開口する駆動手段収納部６６が設けられている。駆動手段収納部６６には、下部ローラプレート６０を往復運動させるためのモータ８２や、揺動アーム５８を上下動させるための歯車８４を収納している。また、駆動手段８０の下側には、移動軸連結部８６を有している。
【００２６】
そして、上部ローラプレート５６が、揺動軸部５６ａを介して、横臥部側の一端辺が下部ローラプレート６０の下部ローラプレートベース６２の揺動軸受部６４に軸ピン７０で軸支され、上部ローラプレート５６が、側面視で扇状に摺動自在となっている。また、上部ローラプレート５６の下面に突出する揺動アーム５８が、下部ローラプレート６０の下部ローラプレートベース６２の揺動アーム穴６２ａを貫通して下方に伸び、揺動アーム５８の側面に設けられた歯部５８ａが、駆動手段８０の歯車８４により上下動されるように連結され、駆動手段８０のモータ８２の回転により歯車８４を回転し、下部ローラプレート６０が往復運動する位置によって、上部ローラプレート５６の揺動する高さすなわちローラ５４の高さが変わるような機構になっている。
【００２７】
下部ローラプレート６０は、ベッド本体４０内のベースプレート９０に上に載置され、両脇をレール摺動部材６８がサイドレール９６に摺動自在に支持された状態になって、横臥部２０方向に向かって往復運動可能になっている。そして、ベースプレート９０の上面には、横臥部２０方向に伸びる移動軸９２が両側を軸受９４で保持されて設けられている。この移動軸９２は、移動軸連結部８６が連結され、駆動手段８０のモータ８２が回転することで、下部ローラプレート６０が、移動軸９２を伝ってベースプレート９０上を往復運動可能に設けられている。
【００２８】
尚、図２及び図３に示すローラ機構５０の他、図４及び図５に示すローラ機構１００のように構成させることも可能である。ローラ機構１００では、基本的構造としてローラ機構５０と同様に、上部ローラプレート１０６が、ローラユニット５２を有している。そして、上部ローラプレート１０６が、揺動軸部１０６ａを介して、横臥部２０側の一端辺が下部ローラプレート１１０の下部ローラプレートベース１１２の揺動軸受部１１４に軸ピン７０で軸支され、上部ローラプレート１０６が、側面視で扇状に摺動自在となっている。また、上部ローラプレート１０６の下面に突出する揺動アーム１０８が、下部ローラプレート１１０の下部ローラプレートベース１１２の揺動アーム穴１１２ａを貫通して下方に伸びている。
【００２９】
そして、揺動アーム１０８の下端に揺動アームローラ１０８ａが設けられ、揺動アーム１０８すなわち揺動アームローラ１０８ａがベースプレート９０に当接しつつ往復運動するように設けられている。また、揺動アーム１０８の下端である揺動アームローラ１０８ａが当接するベースプレート９０の軌道の一部に、ベースプレート９０の高さを部分的に高くする凸状レール部材９８ａ，９８ｂを有し、凸状レール部材９８ａ，９８ｂの高さに応じて、上部ローラプレート１０６の揺動する高さすなわちローラ５４の高さが変わる。
【００３０】
尚、図１に示すように、ベッド本体４０の選手が横臥する面から音がでるようにスピーカ４４を設けることも可能である。このスピーカ４４は、ベッド本体４０に内蔵された音楽や音声のプレーヤからの音楽や音声を再生することも可能であるし、また、ウォーミングアップ運動用ベッド１の外部にあるプレーヤと接続して、スピーカ４４から音楽や音声が出るようにしてもよい。このように、ベッド本体４０にスピーカ４４を設けることで、選手は、ウォーミングアップ運動用ベッド１でウォーミングアップしながら、音楽や音声によるリラックスやイメージトレーニングが同時に可能になる。
【００３１】
さらに、図１に示すように、ベッド本体４０と横臥部２０とが長手方向に連結させ、選手が全身を横臥させることが可能になっているが、持ち運び等を考慮し、図６に示すように、横臥部２０が、ベッド本体４０に摺動可能に連結させることも可能である。すなわち、横臥部本体２２のベッド本体４０側に、車輪状の摺動部材２２ａを設け、また中間部２４にも車輪状の摺動部材２４ａを設け、図６（ａ）に示すような横臥部２０が、サイドフレーム１０の上部フレーム１２に重ね合わせた状態から、摺動部材２２ａ，２４ａが上部フレーム１２を摺動することにより、横臥部本体２２及び中間部２４が上部フレーム１２を摺動して、図６（ｂ）に示す使用可能状態にさせるような構造にすることも可能である。
【００３２】
また、図７に示すように、サイドフレーム１０に、ベッド本体４０の下に位置するサイドフレームバー１４を設け、そのサイドフレームバー１４とベッド本体４０のベッドフレーム４２との間に、連結部材３２，３４を介して揺動手段であるソレノイド３０を設け、ベッド本体４０を、揺動可能にすることも可能である。ベッド本体４０の角度を変えること（途中で随時変えることも可能）が可能であることで、より効果的なウォーミングアップ又はクールダウンが可能である。
【００３３】
以上のような構成のウォーミングアップ運動用ベッド１，２によれば、横たわるだけで、運動の前後で身体をウォーミングアップ又はクールダウンさせるためのウォーミングアップが容易に可能である。また、ローラ５４の往復運動する位置により高さが変わり、選手の身体に沿わせることができることから、より効果的なウォーミングアップ又はクールダウンが可能である。
【産業上の利用可能性】
【００３４】
本考案により、横たわるだけで、運動の前後で身体をウォーミングアップ又はクールダウンさせるためのウォーミングアップが容易に可能なウォーミングアップ運動用ベッドを提供することができる。
【符号の説明】
【００３５】
１・・・・・・ウォーミングアップ運動用ベッド
２・・・・・・ウォーミングアップ運動用ベッド
１０・・・・・サイドフレーム
１２・・・・・上部フレーム
１４・・・・・サイドフレームバー
１６・・・・・連結フレーム
１８・・・・・カバー
２０・・・・・横臥部
２０ａ・・・・脚部
２２・・・・・横臥部本体
２２ａ・・・・摺動部材
２４・・・・・中間部
２４ａ・・・・摺動部材
３０・・・・・ソレノイド
３２・・・・・連結部材
３４・・・・・連結部材
４０・・・・・ベッド本体
４２・・・・・ベッドフレーム
４４・・・・・スピーカ
５０・・・・・ローラ機構
５２・・・・・ローラユニット
５２ａ・・・・ローラ基台
５４・・・・・ローラ
５６・・・・・上部ローラプレート
５６ａ・・・・揺動軸部
５８・・・・・揺動アーム
５８ａ・・・・歯部
６０・・・・・下部ローラプレート
６２・・・・・下部ローラプレートベース
６２ａ・・・・揺動アーム穴
６４・・・・・揺動軸受部
６６・・・・・駆動手段収納部
６８・・・・・レール摺動部材
７０・・・・・軸ピン
７６・・・・・ヒータ
８０・・・・・駆動手段
８２・・・・・モータ
８４・・・・・歯車
８６・・・・・移動軸連結部
９０・・・・・ベースプレート
９２・・・・・移動軸
９４・・・・・軸受
９６・・・・・サイドレール
９８ａ・・・・凸状レール部材
９８ｂ・・・・凸状レール部材
１００・・・・ローラ機構
１０６・・・・上部ローラプレート
１０６ａ・・・揺動軸部
１０８・・・・揺動アーム
１０８ａ・・・揺動アームローラ
１１０・・・・下部ローラプレート
１１２・・・・下部ローラプレートベース
１１２ａ・・・揺動アーム穴
１１４・・・・揺動軸受部
【図１】
0003200593.tif 000003
【図２】
0003200593.tif 000004
【図３】
0003200593.tif 000005
【図４】
0003200593.tif 000006
【図５】
0003200593.tif 000007
【図６】
0003200593.tif 000008
【図７】
0003200593.tif 000009